Podtech/llm-jp-corpus-v4-ja_patent huggingface dataset:
【手続補正書】
【提出日】令和3年10月31日(2021.10.31)
【手続補正１】
【補正対象書類名】特許請求の範囲
【補正対象項目名】全文
【補正方法】変更
【補正の内容】
【特許請求の範囲】
【請求項１】
化粧鋼板等の磁石にくっつく壁面等の平面に使用する保持具であり、長方形の本体に保持具としてシャワーヘッドを固定するためのシャワーフックが装着されており、その裏面には壁面にくっ付き続けるための磁石が装着されているものであり、同じ裏面の本体の長辺の片側にキャスターや球体等の車輪である移動手段が装着されており、先ほど磁石の力により、移動手段は引きはがさない限り常に壁面にくっ付き続けることができ、本体の長辺の他方には吸盤やゴム等の樹脂や磁石等の固定手段が装着されており、固定手段は移動手段が壁面上を移動したり、重いものが保持具に乗った時に下にずれない様に固定する役割を持ち、従って固定手段側のみを壁面から浮かせると、移動手段側は磁石により壁面にくっ付いたままだが、その状態のまま本体が壁から離れたり落ちたりすることなく壁面上を３６０度移動させることができ、再び固定手段側を壁面に着けると、その場で移動できなくなり固定されることで、壁面上のポジション変更を容易としたことを特徴とするシャワーフック。
【請求項２】
化粧鋼板等の磁石にくっつく壁面等の平面に使用する保持具であり、長方形の本体に保持具としてシャンプー等のボトルや石鹸を置くための台、ホルダーが装着されており、その裏面には壁面にくっ付き続けるための磁石が装着されているものであり、同じ裏面の本体の長辺の片側にキャスターや球体等の車輪である移動手段が装着されており、先ほど磁石の力により、移動手段は引きはがさない限り常に壁面にくっ付き続けることができ、本体の長辺の他方には吸盤やゴム等の樹脂や磁石等の固定手段が装着されており、固定手段は移動手段が壁面上を移動したり、重いものが保持具に乗った時に下にずれない様に固定する役割を持ち、従って固定手段側のみを壁面から浮かせると、移動手段側は磁石により壁面にくっ付いたままだが、その状態のまま本体が壁から離れたり落ちたりすることなく壁面上を３６０度移動させることができ、再び固定手段側を壁面に着けると、その場で移動できなくなり固定されることで、壁面上のポジション変更を容易としたことを特徴とするホルダー。
【請求項３】
化粧鋼板等の磁石にくっつく冷蔵庫、壁面等の平面に使用する保持具であり、長方形の本体に保持具としてタオル掛けが装着されており、その裏面には壁面にくっ付き続けるための磁石が装着されているものであり、同じ裏面の本体の長辺の片側にキャスターや球体等の車輪である移動手段が装着されており、先ほど磁石の力により、移動手段は引きはがさない限り常に壁面にくっ付き続けることができ、本体の長辺の他方には吸盤やゴム等の樹脂や磁石等の固定手段が装着されており、固定手段は移動手段が壁面上を移動したり、重いものが保持具に乗った時に下にずれない様に固定する役割を持ち、従って固定手段側のみを壁面から浮かせると、移動手段側は磁石により壁面にくっ付いたままだが、その状態のまま本体が壁から離れたり落ちたりすることなく壁面上を３６０度移動させることができ、再び固定手段側を壁面に着けると、その場で移動できなくなり固定されることで、壁面上のポジション変更を容易としたことを特徴とするタオル掛け。
【請求項４】
化粧鋼板等の磁石にくっつく冷蔵庫、壁面等の平面に使用する保持具であり、長方形の本体に保持具としてラップやティッシュボックス等の箱を保持するためのホルダーが装着されており、その裏面には壁面にくっ付き続けるための磁石が装着されているものであり、同じ裏面の本体の長辺の片側にキャスターや球体等の車輪である移動手段が装着されており、先ほど磁石の力により、移動手段は引きはがさない限り常に壁面にくっ付き続けることができ、本体の長辺の他方には吸盤やゴム等の樹脂や磁石等の固定手段が装着されており、固定手段は移動手段が壁面上を移動したり、重いものが保持具に乗った時に下にずれない様に固定する役割を持ち、従って固定手段側のみを壁面から浮かせると、移動手段側は磁石により壁面にくっ付いたままだが、その状態のまま本体が壁から離れたり落ちたりすることなく壁面上を３６０度移動させることができ、再び固定手段側を壁面に着けると、その場で移動できなくなり固定されることで、壁面上のポジション変更を容易としたことを特徴とするホルダー。
【請求項５】
化粧鋼板等の磁石にくっつく冷蔵庫、壁面等の平面に使用する保持具であり、長方形の本体に保持具としてペンを保持するためのホルダーが装着されており、その裏面には壁面にくっ付き続けるための磁石が装着されているものであり、同じ裏面の本体の長辺の片側にキャスターや球体等の車輪である移動手段が装着されており、先ほど磁石の力により、移動手段は引きはがさない限り常に壁面にくっ付き続けることができ、本体の長辺の他方には吸盤やゴム等の樹脂や磁石等の固定手段が装着されており、固定手段は移動手段が壁面上を移動したり、重いものが保持具に乗った時に下にずれない様に固定する役割を持ち、従って固定手段側のみを壁面から浮かせると、移動手段側は磁石により壁面にくっ付いたままだが、その状態のまま本体が壁から離れたり落ちたりすることなく壁面上を３６０度移動させることができ、再び固定手段側を壁面に着けると、その場で移動できなくなり固定されることで、壁面上のポジション変更を容易としたことを特徴とするホルダー。
【請求項６】
鋼板等でできた磁石にくっつくドアの面に使用するドアストッパーであり、長方形の本体にドアストッパーとなる可動式の脚が装着されており、その裏面にはドアの面にくっ付き続けるための磁石が装着されているものであり、同じ裏面の本体の長辺の片側にキャスターや球体等の車輪である移動手段が装着されており、先ほど磁石の力により、移動手段は引きはがさない限り常にドアの面にくっ付き続けることができ、本体の長辺の他方には吸盤やゴム等の樹脂や磁石等の固定手段が装着されており、固定手段は移動手段がドアの面上を移動したり、重い力がドアストッパーにかかった時にずれない様に固定する役割を持ち、従って固定手段側のみをドアの面から浮かせると、移動手段側は磁石によりドアの面にくっ付いたままだが、その状態のまま本体がドアから離れたり落ちたりすることなくドアの面上を３６０度移動させることができ、再び固定手段側をドアの面に着けると、その場で移動できなくなり固定されることで、ドアの面上のポジション変更を容易としたことを特徴とするドアストッパー。
【請求項７】
請求項１から請求項６の移動手段に移動停止のためのストッパーが装着されており、これにより固定手段を持たずとも固定できる様にしたことを特徴とする請求項１から請求項６のシャワーフック、ホルダー、タオル掛け、ドアストッパー。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
原位置における特性を保持して土壌試料を採取するためのジェット式原位置土壌サンプラーであって、
縦軸線に沿って下方へ移動して土壌試料中に切込むように構成された切込み機構と、
前記縦軸線に沿って下方に向けて前記切込み機構に力を加えるように構成され、且つウォーターナイフアセンブリ（６）を有するドリリング機構とを備え、
前記切込み機構は前記縦軸線に垂直な面上に第一の半径を有する土壌試料捕集室（Ｓ１）を形成し、前記土壌試料捕集室（Ｓ１）に入った土壌試料は外周面がゲル溶液で被覆されて原位置における特性を保持し、前記ウォーターナイフアセンブリ（６）は前記縦軸線を中心に回転して前記第一の半径よりも大きい第二の半径の円周に沿って土壌試料を切断して前記切込み機構の切込み抵抗を減少するように構成される、
ことを特徴とするジェット式原位置土壌サンプラー。
【請求項２】
前記切込み機構は接続外筒（４）と、前記接続外筒（４）に固定して接続される切断シュー（１）とを備えることを特徴とする、請求項１に記載のジェット式原位置土壌サンプラー。
【請求項３】
前記ドリリング機構は、動力源により駆動して前記縦軸線を中心に回転する回転ヘッド（１０）と、該回転ヘッド（１０）に固定して接続される外筒体（５）とを備え、前記ウォーターナイフアセンブリ（６）は外筒体（５）に固定して装着されることを特徴とする、請求項２に記載のジェット式原位置土壌サンプラー。
【請求項４】
前記ドリリング機構は回転止めアセンブリを介して切込み機構に接続され、前記回転ヘッド（１０）が回転すると同時に回転ヘッド（１０）の縦軸線上における変位を回転不可能な接続外筒（４）に伝達するように構成されることを特徴とする、請求項３に記載のジェット式原位置土壌サンプラー。
【請求項５】
前記回転止めアセンブリは力伝達圧力ヘッド（９）と軸方向ベアリング（１４）とを備え、
前記軸方向ベアリング（１４）は、フェルールが回転ヘッド（１０）に固定して装着され、シャフトカラーが力伝達圧力ヘッド（９）に固定して装着され、
前記シャフトカラーはフェルールの内部に設けられ且つ縦軸線に沿って上下移動するように構成され、前記フェルール又は回転ヘッド（１０）は荷重ばね（１２）を介して該シャフトカラーに軸方向の圧力をかけて切断シュー（１）上に土壌試料を切断する負荷を生じるように構成されることを特徴とする、請求項４に記載のジェット式原位置土壌サンプラー。
【請求項６】
前記荷重ばね（１２）の上端部は回転ヘッド（１０）に押し当てられ、前記荷重ばね（１２）の下端部は前記シャフトカラーに押し当てられることを特徴とする、請求項５に記載のジェット式原位置土壌サンプラー。
【請求項７】
前記回転止めアセンブリはさらに少なくとも１つの径方向滑り軸受（１５）を備え、該径方向滑り軸受（１５）は前記フェルールに固定して接続され、前記力伝達圧力ヘッド（９）は前記径方向滑り軸受（１５）を貫通する軸部を有することを特徴とする、請求項５又は６に記載のジェット式原位置土壌サンプラー。
【請求項８】
前記接続外筒（４）は力伝達圧力ヘッド（９）に固定して装着され、且つ接続外筒（４）には、接続内筒（３）、浮動ピストン（８）及び力伝達圧力ヘッド（９）に囲まれたゲル貯蔵室（Ｓ２）が内蔵され、
前記接続内筒（３）は力伝達圧力ヘッド（９）に固定して装着され、且つ接続外筒（４）との間に設けられた隙間を有してゲル貯蔵室（Ｓ２）と土壌試料捕集室（Ｓ１）を連通するゲル押し込み通路を形成し、前記接続内筒（３）の上部に設けられた開孔（２６）を介してゲル押し込み通路とゲル貯蔵室（Ｓ２）を連通し、
前記浮動ピストン（８）は接続内筒（３）の中に設けられ、前記浮動ピストン（８）と接続内筒（３）は密封して遊嵌接続することを特徴とする、請求項５又は６に記載のジェット式原位置土壌サンプラー。
【請求項９】
前記土壌試料捕集室（Ｓ１）は浮動ピストン（８）と接続内筒（３）に囲まれるように形成され、且つ前記浮動ピストン（８）が上方へ移動した時に、前記土壌試料捕集室（Ｓ１）が増大し、前記ゲル貯蔵室（Ｓ２）が縮小し、
前記切断シュー（１）の内部に土壌試料が土壌試料捕集室（Ｓ１）に入るように土壌試料捕集口（Ｃ１）が形成されることを特徴とする、請求項８に記載のジェット式原位置土壌サンプラー。
【請求項１０】
前記土壌試料捕集室（Ｓ１）の内径は土壌試料捕集口（Ｃ１）の内径より大きく接続内筒（３）の内壁と捕集された土壌試料の外壁との間に土壌試料をゲルで被覆するためのゲル注入隙間を形成し、
前記接続内筒（３）の底部に土壌試料捕集室（Ｓ１）とゲル押し込み通路を連通するゲル注入孔が設けられることを特徴とする、請求項８に記載のジェット式原位置土壌サンプラー。
【請求項１１】
前記回転ヘッド（１０）にゲル排出孔が設けられ、前記ゲル貯蔵室（Ｓ２）はゲル溢出管（２３）を経由してゲル排出孔と連通して余分のゲルを排出するように構成され、
前記ゲル溢出管（２３）は回転ヘッド（１０）に固定し、力伝達圧力ヘッド（９）を経由してゲル貯蔵室（Ｓ２）に挿入され、且つ該ゲル溢出管は力伝達圧力ヘッド（９）と密封接触することを特徴とする、請求項８に記載のジェット式原位置土壌サンプラー。
【請求項１２】
前記回転ヘッド（１０）には多通路配水ヘッド（１１）が配置されて、該多通路配水ヘッド（１１）は回転ヘッド（１０）、高圧水管を経由してウォーターナイフアセンブリ（６）と連通し、前記回転ヘッド（１０）には、高圧水管（１６）と多通路配水ヘッド（１１）を連通する配水管路（２４）が設けられることを特徴とする、請求項３に記載のジェット式原位置土壌サンプラー。
【手続補正書】
【提出日】令和2年11月20日(2020.11.20)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
トランジスタと、容量素子と、を有する表示装置であって、
前記トランジスタは、
第１の絶縁層と、
前記第１の絶縁層と接する第１の半導体層と、
前記第１の半導体層と接する第２の絶縁層と、
前記第２の絶縁層に設けられた開口部を介して、前記第１の半導体層と電気的に接続される第１の導電層と、を有し、
前記第１の半導体層は、チャネル領域を有し、
前記容量素子は、
前記第１の絶縁層と接する第２の導電層と、
前記第２の導電層と接する前記第２の絶縁層と、
前記第２の絶縁層と接する前記第１の導電層と、を有し、
前記第２の導電層は、前記第１の半導体層と同様の組成を有し、
前記第１の導電層、および前記第２の導電層は、可視光を透過する機能を有することを特徴とする表示装置。
【請求項２】
請求項１において、
前記第１の半導体層、前記第１の導電層、および前記第２の導電層は、金属酸化物を有することを特徴とする表示装置。
【請求項３】
請求項２において、
前記第１の半導体層が有する前記金属酸化物は、前記第１の導電層が有する前記金属酸化物に含まれる金属元素を１種類以上有することを特徴とする表示装置。
【請求項４】
請求項２または３において、
前記第１の導電層は、Ｉｎ−Ｚｎ酸化物を有することを特徴とする表示装置。
【請求項５】
請求項１乃至４のいずれか一項において、
前記第２の絶縁層は、酸化窒化シリコンを有することを特徴とする表示装置。
【請求項６】
請求項１乃至５のいずれか一項において、
前記第２の絶縁層および前記第１の導電層と接する第３の絶縁層を有し、
前記第３の絶縁層は、化学量論的組成を満たす酸素よりも多くの酸素を有することを特徴とする表示装置。
【請求項７】
請求項１乃至６のいずれか一項において、
液晶素子を有し、
前記液晶素子は、液晶層と、画素電極と、を有し、
前記画素電極は、前記第１の導電層と電気的に接続されていることを特徴とする表示装置。
【請求項８】
請求項７において、
前記液晶素子の抵抗率は、１．０×１０１４Ω・ｃｍ以上であることを特徴とする表示装置。
【請求項９】
請求項１乃至８のいずれか一項において、
前記表示装置のフレーム周波数は、０．１Ｈｚ以上６０Ｈｚ未満であり、
前記表示装置は、前記容量素子にデータを書き込んだ後、前記トランジスタを非導通状態とすることにより前記データを保持する機能を有することを特徴とする表示装置。
【請求項１０】
請求項９において、
前記表示装置のフレーム周波数は、０．１Ｈｚ以上２０Ｈｚ未満であることを特徴とする表示装置。
【請求項１１】
請求項１乃至１０のいずれか一項において、
走査線を有し、
前記走査線は、金属材料を用いて形成され、
前記走査線は、前記トランジスタのチャネル領域と重なる部分を有することを特徴とする表示装置。
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
第１の導電層と、第２の導電層と、液晶素子と、を有する表示装置であって、
前記第１の導電層は、トランジスタのソース電極またはドレイン電極が延在した領域を有し、
前記液晶素子は、第３の導電層、液晶層および第４の導電層を有し、
断面視において、前記液晶層は、前記第３の導電層と前記第４の導電層との間に設けられ、
前記第１の導電層乃至前記第４の導電層は、可視光に対して透光性を有し、
前記第１の導電層乃至前記第４の導電層は、それぞれ互いに重なる領域を有し、
断面視において、前記第２の導電層は、前記第１の導電層と前記第３の導電層との間に設けられ、
断面視において、前記第１の導電層と前記第２の導電層との間には、第１の絶縁層が設けられ、
断面視において、前記第２の導電層と前記第３の導電層との間には、第２の絶縁層が設けられ、
前記第２の導電層は、第１の開口部を有し、
前記第１の絶縁層および前記第２の絶縁層は、第２の開口部を有し、
平面視において、前記第２の開口部は、前記第１の開口部の内側に設けられ、
前記第３の導電層は、前記第２の開口部を通じて前記第１の導電層と電気的に接続される表示装置。
【請求項２】
第１の導電層と、第２の導電層と、液晶素子と、を有する表示装置であって、
前記第１の導電層は、トランジスタの半導体層が延在した領域を有し、
前記液晶素子は、第３の導電層、液晶層および第４の導電層を有し、
断面視において、前記液晶層は、前記第３の導電層と前記第４の導電層との間に設けられ、
前記第１の導電層乃至前記第４の導電層は、可視光に対して透光性を有し、
前記第１の導電層乃至前記第４の導電層は、それぞれ互いに重なる領域を有し、
断面視において、前記第２の導電層は、前記第１の導電層と前記第３の導電層との間に設けられ、
断面視において、前記第１の導電層と前記第２の導電層との間には、第１の絶縁層が設けられ、
断面視において、前記第２の導電層と前記第３の導電層との間には、第２の絶縁層が設けられ、
前記第２の導電層は、第１の開口部を有し、
前記第１の絶縁層および前記第２の絶縁層は、第２の開口部を有し、
平面視において、前記第２の開口部は、前記第１の開口部の内側に設けられ、
前記第３の導電層は、前記第２の開口部を通じて前記第１の導電層と電気的に接続される表示装置。
【請求項３】
請求項１または請求項２において、
前記第２の導電層は、共通電極であり、
前記第１の導電層、前記第２の導電層および前記第１の絶縁層は、第１の容量素子として作用し、
前記第２の導電層、前記第３の導電層および前記第２の絶縁層は、第２の容量素子として作用する表示装置。
【請求項４】
請求項１乃至請求項３のいずれか一項において、
前記第１の導電層乃至前記第４の導電層は、金属酸化物を有する表示装置。
【請求項５】
請求項１乃至請求項４のいずれか一項において、
前記トランジスタは、ゲート電極として作用する第５の導電層を有し、
前記第５の導電層は、可視光に対して透光性を有する表示装置。
【請求項６】
請求項５において、
前記第５の導電層は、前記第１の導電層乃至前記第４の導電層と重なる領域を有する表示装置。
【請求項７】
請求項５または請求項６において、
前記第５の導電層は、金属酸化物を有する表示装置。
【請求項８】
請求項１乃至請求項７のいずれか一項において、
前記トランジスタは、チャネル形成領域に金属酸化物を有する表示装置。
【請求項９】
請求項１乃至請求項８のいずれか一項に記載の表示装置を有し、
表示部と重なる位置に入力装置を備えた電子機器。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
所定の演出を実行可能な演出実行手段と、を備え、
前記演出実行手段は、
前記判定の結果に基づいて、前記特別遊技状態になる可能性が相対的に高いことを示唆する第１リーチ演出を実行するときと、前記特別遊技状態になる可能性が相対的に低いことを示唆する第２リーチ演出を実行するときと、があり、
前記第１リーチ演出または前記第２リーチ演出を実行した後に、前記特別遊技状態になるか否かを示唆する発展演出を実行することがあり、
前記第１リーチ演出の後に前記発展演出が実行されたときと、前記第２リーチ演出の後に前記発展演出が実行されたときとで、前記発展演出において前記特別遊技状態になることが示唆される確率が互いに異なる、
ことを特徴とする遊技機。
【請求項２】
請求項１に記載の遊技機であって、
前記第２リーチ演出の後に前記発展演出が実行されたときよりも、前記第１リーチ演出の後に前記発展演出が実行されたときの方が、前記発展演出において前記特別遊技状態になることが示唆され易い、
ことを特徴とする遊技機。
【請求項３】
請求項１または請求項２に記載の遊技機であって、
前記演出実行手段は、
前記第１リーチ演出において、成功を示唆する成功演出を導出するときと導出しないときとがあり、
前記第１リーチ演出において前記成功演出を導出した場合には、前記第１リーチ演出よりも前記特別遊技状態になる可能性が高いことを示唆する第３リーチ演出を実行することがある一方、
前記第１リーチ演出において前記成功演出を導出しなかった場合には、前記第３リーチ演出を実行しないで前記発展演出を実行することがある、
ことを特徴とする遊技機。
【手続補正２】
【補正対象書類名】明細書
【補正対象項目名】０００８
【補正方法】変更
【補正の内容】
【０００８】
本明細書に開示される遊技機は、遊技者に有利な特別遊技状態にするか否かの判定を行う判定手段と、所定の演出を実行可能な演出実行手段と、を備え、前記演出実行手段は、前記判定の結果に基づいて、前記特別遊技状態になる可能性が相対的に高いことを示唆する第１リーチ演出を実行するときと、前記特別遊技状態になる可能性が相対的に低いことを示唆する第２リーチ演出を実行するときと、があり、前記第１リーチ演出または前記第２リーチ演出を実行した後に、前記特別遊技状態になるか否かを示唆する発展演出を実行することがあり、前記第１リーチ演出の後に前記発展演出が実行されたときと、前記第２リーチ演出の後に前記発展演出が実行されたときとで、前記発展演出において前記特別遊技状態になることが示唆される確率が互いに異なる、ことを特徴としている。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
第１条件の成立により、遊技者に有利な特別遊技状態にするか否かの判定を行うための判定情報を含む情報を取得する取得手段と、
第２条件の成立により、前記取得手段によって取得された情報に基づいて、前記判定を行う判定手段と、
前記第２条件が成立する前に、前記取得手段によって取得された情報に基づいて、前記特別遊技状態になるか否かの事前判定を行う事前判定手段と、
所定の表示手段を含む演出手段を用いて所定の演出を実行可能な演出実行手段と、を備え、
前記演出実行手段は、
前記取得手段によって情報が取得されることに応じて、前記表示手段に所定の保留図柄の表示を開始することがあり、
前記保留図柄の表示を開始する際に、前記表示手段の第１表示領域に前記保留図柄の表示を開始するときと、前記表示手段の前記第１表示領域とは異なる第２表示領域に前記保留図柄の表示を開始するときと、があり、
前記第１表示領域および前記第２表示領域の何れに前記保留図柄の表示を開始する場合でも、前記事前判定の結果に基づいて、前記特別遊技状態になる可能性が高いことを示唆しない通常表示態様で前記保留図柄の表示を開始するときと、前記特別遊技状態になる可能性が高いことを示唆する特別表示態様で前記保留図柄の表示を開始することがあり、
前記第１表示領域に前記通常表示態様で前記保留図柄の表示を開始した場合、所定のタイミングで、前記保留図柄の表示態様を前記特別表示態様に変化させることがあり、
前記第２表示領域に前記保留図柄の表示が開始される場合よりも、前記第１表示領域に前記保留図柄の表示が開始される場合の方が、前記特別表示態様で前記保留図柄の表示が開始され難い、
ことを特徴とする遊技機。
【請求項２】
第１条件の成立により、遊技者に有利な特別遊技状態にするか否かの判定を行うための判定情報を含む情報を取得する取得手段と、
第２条件の成立により、前記取得手段によって取得された情報に基づいて、前記判定を行う判定手段と、
所定の表示手段を含む演出手段を用いて所定の演出を実行可能な演出実行手段と、を備え、
前記演出実行手段は、
前記取得手段によって情報が取得されることに応じて、前記表示手段に所定の保留図柄の表示を開始することがあり、
前記保留図柄の表示を開始する際に、前記表示手段の第１表示領域に前記保留図柄の表示を開始するときと、前記表示手段の前記第１表示領域とは異なる第２表示領域に前記保留図柄の表示を開始するときと、があり、
前記第１表示領域および前記第２表示領域の何れに前記保留図柄の表示を開始する場合でも、前記判定の結果に基づいて、前記特別遊技状態になる可能性が高いことを示唆しない通常表示態様で前記保留図柄の表示を開始するときと、前記特別遊技状態になる可能性が高いことを示唆する特別表示態様で前記保留図柄の表示を開始することがあり、
前記第１表示領域に前記通常表示態様で前記保留図柄の表示を開始した場合、所定のタイミングで、前記保留図柄の表示態様を前記特別表示態様に変化させることがあり、
前記第２表示領域に前記保留図柄の表示が開始される場合よりも、前記第２表示領域に前記保留図柄の表示が開始される場合の方が、前記特別表示態様で前記保留図柄の表示が開始され難い、
ことを特徴とする遊技機。
【手続補正２】
【補正対象書類名】明細書
【補正対象項目名】０００８
【補正方法】変更
【補正の内容】
【０００８】
本明細書に開示される遊技機は、第１条件の成立により、遊技者に有利な特別遊技状態にするか否かの判定を行うための判定情報を含む情報を取得する取得手段と、第２条件の成立により、前記取得手段によって取得された情報に基づいて、前記判定を行う判定手段と、前記第２条件が成立する前に、前記取得手段によって取得された情報に基づいて、前記特別遊技状態になるか否かの事前判定を行う事前判定手段と、所定の表示手段を含む演出手段を用いて所定の演出を実行可能な演出実行手段と、を備え、前記演出実行手段は、前記取得手段によって情報が取得されることに応じて、前記表示手段に所定の保留図柄の表示を開始することがあり、前記保留図柄の表示を開始する際に、前記表示手段の第１表示領域に前記保留図柄の表示を開始するときと、前記表示手段の前記第１表示領域とは異なる第２表示領域に前記保留図柄の表示を開始するときと、があり、前記第１表示領域および前記第２表示領域の何れに前記保留図柄の表示を開始する場合でも、前記事前判定の結果に基づいて、前記特別遊技状態になる可能性が高いことを示唆しない通常表示態様で前記保留図柄の表示を開始するときと、前記特別遊技状態になる可能性が高いことを示唆する特別表示態様で前記保留図柄の表示を開始することがあり、前記第１表示領域に前記通常表示態様で前記保留図柄の表示を開始した場合、所定のタイミングで、前記保留図柄の表示態様を前記特別表示態様に変化させることがあり、前記第２表示領域に前記保留図柄の表示が開始される場合よりも、前記第１表示領域に前記保留図柄の表示が開始される場合の方が、前記特別表示態様で前記保留図柄の表示が開始され難い、ことを特徴としている。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
遊技者に有利な大当たり遊技状態にするか否かの判定を行う判定手段と、
所定の表示手段を含む演出手段を用いて、所定の演出を実行可能な演出実行手段と、を備え、
前記大当たり遊技状態には、第１の大当たり遊技状態と、前記第１の大当たり遊技状態よりも有利な第２の大当たり遊技状態と、があり、
前記演出実行手段は、
前記判定の結果に基づいて、第１の演出図柄を前記表示手段で変動させる第１変動演出と、第２の演出図柄を前記表示手段で変動させる第２変動演出と、を並行して実行することがあり、
前記判定において前記大当たり遊技状態にすると判定された場合、前記第１の演出図柄を前記第１の大当たり遊技状態および前記第２の大当たり遊技状態の何れにもなる可能性があることを示唆する特定態様で停止させることがあり、
前記第１の演出図柄を前記特定態様で停止させた後に、前記第２の大当たり遊技状態になることを示唆する特殊演出を実行することがあり、
前記第１変動演出と前記第２変動演出とを並行して実行しているときにおいて前記第１の演出図柄を前記特定態様で停止させる際に、変動表示している前記第２の演出図柄を停止させるときと、変動表示している前記第２の演出図柄を停止させないときと、があり、
前記第１の演出図柄の前記特定態様での停止の際に、変動表示している前記第２の演出図柄が停止したときよりも、変動表示している前記第２の演出図柄が停止しなかったときの方が、前記特殊演出が実行され易い、
ことを特徴とする遊技機。
【手続補正２】
【補正対象書類名】明細書
【補正対象項目名】０００８
【補正方法】変更
【補正の内容】
【０００８】
本明細書に開示される遊技機は、遊技者に有利な大当たり遊技状態にするか否かの判定を行う判定手段と、所定の表示手段を含む演出手段を用いて、所定の演出を実行可能な演出実行手段と、を備え、前記大当たり遊技状態には、第１の大当たり遊技状態と、前記第１の大当たり遊技状態よりも有利な第２の大当たり遊技状態と、があり、前記演出実行手段は、前記判定の結果に基づいて、第１の演出図柄を前記表示手段で変動させる第１変動演出と、第２の演出図柄を前記表示手段で変動させる第２変動演出と、を並行して実行することがあり、前記判定において前記大当たり遊技状態にすると判定された場合、前記第１の演出図柄を前記第１の大当たり遊技状態および前記第２の大当たり遊技状態の何れにもなる可能性があることを示唆する特定態様で停止させることがあり、前記第１の演出図柄を前記特定態様で停止させた後に、前記第２の大当たり遊技状態になることを示唆する特殊演出を実行することがあり、前記第１変動演出と前記第２変動演出とを並行して実行しているときにおいて前記第１の演出図柄を前記特定態様で停止させる際に、変動表示している前記第２の演出図柄を停止させるときと、変動表示している前記第２の演出図柄を停止させないときと、があり、前記第１の演出図柄の前記特定態様での停止の際に、変動表示している前記第２の演出図柄が停止したときよりも、変動表示している前記第２の演出図柄が停止しなかったときの方が、前記特殊演出が実行され易い、ことを特徴としている。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行するか否かの判定を行う判定手段と、
所定の表示手段を含む演出手段を用いて、所定の演出を実行可能な演出実行手段と、を備え、
前記特別遊技には、特定の特別遊技を含む複数種類の特別遊技があり、
前記演出実行手段は、
前記判定の結果に基づいて、第１の演出図柄を前記表示手段で変動させる第１変動演出と、第２の演出図柄を前記表示手段で変動させる第２変動演出と、を並行して実行することがあり、
前記判定において前記特別遊技を実行すると判定された場合、前記第１の演出図柄を前記特別遊技が実行されることを示唆する特定態様で停止させることがあり、
前記第１変動演出と前記第２変動演出とを並行して実行しているときにおいて前記第１の演出図柄を前記特定態様で停止させる際に、変動表示している前記第２の演出図柄を停止させるときと、変動表示している前記第２の演出図柄を停止させないときと、があり、
前記第１の演出図柄の前記特定態様での停止の際に、変動表示している前記第２の演出図柄が停止したときと、変動表示している前記第２の演出図柄が停止しなかったときとで、前記特定の特別遊技が実行される確率が互いに異なる、
ことを特徴とする遊技機。
【手続補正２】
【補正対象書類名】明細書
【補正対象項目名】０００８
【補正方法】変更
【補正の内容】
【０００８】
本明細書に開示される遊技機は、遊技者に有利な特別遊技を実行するか否かの判定を行う判定手段と、所定の表示手段を含む演出手段を用いて、所定の演出を実行可能な演出実行手段と、を備え、前記特別遊技には、特定の特別遊技を含む複数種類の特別遊技があり、前記演出実行手段は、前記判定の結果に基づいて、第１の演出図柄を前記表示手段で変動させる第１変動演出と、第２の演出図柄を前記表示手段で変動させる第２変動演出と、を並行して実行することがあり、前記判定において前記特別遊技を実行すると判定された場合、前記第１の演出図柄を前記特別遊技が実行されることを示唆する特定態様で停止させることがあり、前記第１変動演出と前記第２変動演出とを並行して実行しているときにおいて前記第１の演出図柄を前記特定態様で停止させる際に、変動表示している前記第２の演出図柄を停止させるときと、変動表示している前記第２の演出図柄を停止させないときと、があり、前記第１の演出図柄の前記特定態様での停止の際に、変動表示している前記第２の演出図柄が停止したときと、変動表示している前記第２の演出図柄が停止しなかったときとで、前記特定の特別遊技が実行される確率が互いに異なる、ことを特徴としている。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
所定の入球口への入球に基づいて、遊技者に有利な特別遊技状態にするかの当否判定を行う判定手段と、
前記入球に基づいて、前記判定手段による当否判定よりも前に、前記特別遊技状態になるかの先読み判定を行う先読み判定手段と、
演出を制御可能な演出制御手段と、を備え、
前記演出制御手段は、
前記当否判定が行われることに応じて、演出図柄を変動表示させてから当該当否判定の結果を示す態様で停止表示させる図柄変動を行うことと、
前記先読み判定の結果に基づいて、連続する複数回の前記図柄変動において、第１事前演出、又は、前記第１事前演出とは異なる第２事前演出を行うことと、が可能であり、
前記第１事前演出を実行した場合でも、前記第２事前演出を実行した場合でも、前記当否判定の結果に基づいて、共通の予告演出を行うことがあることを特徴とする遊技機。
【請求項２】
請求項１に記載の遊技機であって、
前記演出制御手段は、前記第１事前演出あるいは前記第２事前演出の実行契機となった入球に対応する当否判定の結果に基づく図柄変動において、前記共通の予告演出を実行可能であることを特徴とする遊技機。
【請求項３】
請求項２に記載の遊技機であって、
前記第１事前演出が行われて前記共通の予告演出が行われた場合と、前記第２事前演出が行われて前記共通の予告演出が行われた場合とで、前記特別遊技状態になる期待度が異なることを特徴とする遊技機。
【請求項４】
請求項１から請求項３までの何れかに記載の遊技機であって、
前記演出制御手段は、
前記当否判定の結果に基づいて、前記第２事前演出で用いる演出要素と同じ演出要素を用いる特定の予告演出を実行することが可能であり、
前記第２事前演出を実行している場合、前記特定の予告演出を実行しないことを特徴とする遊技機。
【手続補正２】
【補正対象書類名】明細書
【補正対象項目名】０００７
【補正方法】変更
【補正の内容】
【０００７】
本発明の遊技機は、
所定の入球口への入球に基づいて、遊技者に有利な特別遊技状態にするかの当否判定を行う判定手段と、
前記入球に基づいて、前記判定手段による当否判定よりも前に、前記特別遊技状態になるかの先読み判定を行う先読み判定手段と、
演出を制御可能な演出制御手段と、を備え、
前記演出制御手段は、
前記当否判定が行われることに応じて、演出図柄を変動表示させてから当該当否判定の結果を示す態様で停止表示させる図柄変動を行うことと、
前記先読み判定の結果に基づいて、連続する複数回の前記図柄変動において、第１事前演出、又は、前記第１事前演出とは異なる第２事前演出を行うことと、が可能であり、
前記第１事前演出を実行した場合でも、前記第２事前演出を実行した場合でも、前記当否判定の結果に基づいて、共通の予告演出を行うことがあることを特徴とする遊技機である。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするかの第１判定を行う第１判定手段と、
前記第１判定よりも前に、前記特別遊技状態になるかの第２判定を行う第２判定手段と、
演出を制御可能な演出制御手段と、を備え、
前記演出制御手段は、
前記第２判定の結果に基づいて、第１事前演出と第２事前演出とを含む複数種類の事前演出のうちのいずれかを実行することと、
前記第１判定が行われることに応じて、複数種類の予告演出のうちのいずれかを実行することと、が可能であり、
前記第１事前演出を実行していても前記第２事前演出を実行していても、共通の予告演出を行うことがあり、
前記共通の予告演出は、前記特別遊技状態になる可能性が高いことを示唆する演出であることを特徴とする遊技機。
【請求項２】
請求項１に記載の遊技機であって、
前記複数種類の予告演出には、前記共通の予告演出とは異なる特定の予告演出が含まれ、
前記演出制御手段は、前記第２事前演出を実行している場合には、前記特定の予告演出を実行しないことを特徴とする遊技機。
【請求項３】
請求項２に記載の遊技機であって、
前記特定の予告演出は、前記第２事前演出で用いる演出要素と同じ演出要素を用いる演出であることを特徴とする遊技機。
【手続補正２】
【補正対象書類名】明細書
【補正対象項目名】０００７
【補正方法】変更
【補正の内容】
【０００７】
本発明の遊技機は、
遊技者に有利な特別遊技状態にするかの第１判定を行う第１判定手段と、
前記第１判定よりも前に、前記特別遊技状態になるかの第２判定を行う第２判定手段と、
演出を制御可能な演出制御手段と、を備え、
前記演出制御手段は、
前記第２判定の結果に基づいて、第１事前演出と第２事前演出とを含む複数種類の事前演出のうちのいずれかを実行することと、
前記第１判定が行われることに応じて、複数種類の予告演出のうちのいずれかを実行することと、が可能であり、
前記第１事前演出を実行していても前記第２事前演出を実行していても、共通の予告演出を行うことがあり、
前記共通の予告演出は、前記特別遊技状態になる可能性が高いことを示唆する演出であることを特徴とする遊技機である。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
当否判定を行う判定手段と、
前記判定の結果によって、遊技者に有利な特別遊技を実行する特別遊技実行手段と、
所定の演出を実行可能な演出実行手段と、を備え、
前記演出実行手段は、
前記特別遊技が実行される可能性があることを示唆する演出内容の第１の演出を実行可能であり、
前記第１の演出の演出内容を示唆する第２の演出を実行可能であり、
前記第２の演出が実行されることを示唆する第３の演出を実行可能であることを特徴とする遊技機。
【請求項２】
請求項１に記載の遊技機であって、
前記第１の演出には、前記特別遊技状態になる可能性が相対的に高いことを示唆する演出内容の第１予告演出と、前記特別遊技状態になる可能性が相対的に低いことを示唆する演出内容の第２予告演出とがあり、
前記第２の演出には、前記第１予告演出の演出内容を示唆する第１示唆演出と、前記第１予告演出の演出内容を示唆しない第２示唆演出とがあり、
前記第３の演出には、第１の演出態様で実行される第１態様演出と、前記第１の演出態様とは異なる第２の演出態様で実行される第２態様演出とがあり、
前記第１態様演出の実行後に前記第１示唆演出の実行がなされる確率と、前記第２態様演出の実行後に前記第１示唆演出の実行がなされる確率と、が異なっていることを特徴とする遊技機。
【請求項３】
請求項１又は請求項２に記載の遊技機であって、
前記演出実行手段は、
前記第２の演出を継続して実行可能であり、
前記第２の演出を継続して実行する場合には、その第２の演出が示唆する演出内容の前記第１の演出を実行可能であることを特徴とする遊技機。
【手続補正２】
【補正対象書類名】明細書
【補正対象項目名】０００６
【補正方法】変更
【補正の内容】
【０００６】
本発明の遊技機は、
当否判定を行う判定手段と、
前記判定の結果によって、遊技者に有利な特別遊技を実行する特別遊技実行手段と、
所定の演出を実行可能な演出実行手段と、を備え、
前記演出実行手段は、
前記特別遊技が実行される可能性があることを示唆する演出内容の第１の演出を実行可能であり、
前記第１の演出の演出内容を示唆する第２の演出を実行可能であり、
前記第２の演出が実行されることを示唆する第３の演出を実行可能であることを特徴とする。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
大当たり遊技を実行するか否かを判定するとともに、大当たり遊技を実行した後に、遊技者に有利な特別遊技状態にすることが可能な制御手段と、
所定の演出を実行可能な演出実行手段と、を備え、
前記特別遊技状態には、第１の特別遊技状態と、前記第１の特別遊技状態よりも有利な第２の特別遊技状態とがあり、
前記演出実行手段は、
前記判定の結果に基づいて、前記特別遊技状態になる可能性があることを示唆する特別演出を実行することがあり、
前記特別演出において、成功を示唆する成功演出を導出するときと導出しないときとがあり、
前記特別演出において前記成功演出を導出した場合には、大当たり遊技が実行されれば前記第２の特別遊技状態になることを示唆する第１発展演出を実行することがある一方、
前記特別演出において前記成功演出を導出しなかった場合には、前記第１発展演出を実行しないで、大当たり遊技が実行されれば前記第１の特別遊技状態にも前記第２の特別遊技状態にもなる可能性があることを示唆する第２発展演出を実行することがあり、
前記第１発展演出が実行されたときと前記第２発展演出が実行されたときとで、大当たり遊技が実行される確率が互いに異なる、
ことを特徴とする遊技機。
【手続補正２】
【補正対象書類名】明細書
【補正対象項目名】０００８
【補正方法】変更
【補正の内容】
【０００８】
本明細書に開示される遊技機は、大当たり遊技を実行するか否かを判定するとともに、大当たり遊技を実行した後に、遊技者に有利な特別遊技状態にすることが可能な制御手段と、所定の演出を実行可能な演出実行手段と、を備え、前記特別遊技状態には、第１の特別遊技状態と、前記第１の特別遊技状態よりも有利な第２の特別遊技状態とがあり、前記演出実行手段は、前記判定の結果に基づいて、前記特別遊技状態になる可能性があることを示唆する特別演出を実行することがあり、前記特別演出において、成功を示唆する成功演出を導出するときと導出しないときとがあり、前記特別演出において前記成功演出を導出した場合には、大当たり遊技が実行されれば前記第２の特別遊技状態になることを示唆する第１発展演出を実行することがある一方、前記特別演出において前記成功演出を導出しなかった場合には、前記第１発展演出を実行しないで、大当たり遊技が実行されれば前記第１の特別遊技状態にも前記第２の特別遊技状態にもなる可能性があることを示唆する第２発展演出を実行することがあり、前記第１発展演出が実行されたときと前記第２発展演出が実行されたときとで、大当たり遊技が実行される確率が互いに異なる、ことを特徴としている。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段を備え、
前記所定の演出には、第１の演出と、前記第１の演出の実行を示唆可能な第２の演出とがあり、
前記第１の演出には、第１のタイミングで実行可能な第１タイミング演出、および、前記第１のタイミングとは異なる第２のタイミングで実行可能な第２タイミング演出を含み、
前記演出実行手段は、
前記第２の演出を継続して実行可能であり、
前記第２の演出を継続して実行する場合には、前記第１のタイミングに当該第２の演出が示唆する演出内容で前記第１タイミング演出の実行を開始するときと、前記第２のタイミングに当該第２の演出が示唆する演出内容で前記第２タイミング演出の実行を開始するときとがあることを特徴とする遊技機。
【請求項２】
請求項１に記載の遊技機であって、
当否判定を行う判定手段と、
前記当否判定の結果によって、遊技者に有利な特別遊技を行う特別遊技実行手段と、を備え、
前記第１の演出は、
演出内容によって、前記特別遊技が実行される可能性があることを示唆可能な演出であることを特徴とする遊技機。
【請求項３】
請求項２に記載の遊技機であって、
前記第１の演出には、前記特別遊技が実行される可能性が相対的に高いことを示唆する演出内容の特定予告演出があり、
前記第２の演出には、前記特定予告演出の実行を示唆する特定示唆演出があり、
前記演出実行手段は、
前記第２の演出として前記特定示唆演出を継続して実行する場合には、前記第１タイミング演出として前記特定予告演出を実行するときと、前記第２タイミング演出として前記特定予告演出を実行するときとがあることを特徴とする遊技機。
【手続補正２】
【補正対象書類名】明細書
【補正対象項目名】０００６
【補正方法】変更
【補正の内容】
【０００６】
本発明の遊技機は、
所定の演出を実行可能な演出実行手段を備え、
前記所定の演出には、第１の演出と、前記第１の演出の実行を示唆可能な第２の演出とがあり、
前記第１の演出には、第１のタイミングで実行可能な第１タイミング演出、および、前記第１のタイミングとは異なる第２のタイミングで実行可能な第２タイミング演出を含み、
前記演出実行手段は、
前記第２の演出を継続して実行可能であり、
前記第２の演出を継続して実行する場合には、前記第１のタイミングに当該第２の演出が示唆する演出内容で前記第１タイミング演出の実行を開始するときと、前記第２のタイミングに当該第２の演出が示唆する演出内容で前記第２タイミング演出の実行を開始するときとがあることを特徴とする。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
当否判定を行う判定手段と、
前記当否判定の結果によって、遊技者に有利な特別遊技を実行する特別遊技実行手段と、
所定の演出を実行可能な演出実行手段と、を備え、
前記所定の演出には、第１の演出と第２の演出とがあり、
前記第１の演出には、前記特別遊技が実行される可能性が相対的に高いことを示唆する第１の演出内容を含む第１予告演出と、前記特別遊技が実行される可能性が相対的に低いことを示唆する第２の演出内容を含む第２予告演出と、があり、
前記第２の演出には、前記第１の演出内容を示唆する第１示唆演出と、前記第１の演出内容を示唆しない第２示唆演出と、があり、
前記演出実行手段は、
前記第１示唆演出を継続して実行する場合には前記第１予告演出を実行可能であることを特徴とする遊技機。
【請求項２】
請求項１に記載の遊技機であって、
前記演出実行手段は、
前記第２示唆演出を継続して実行する場合には、前記第１予告演出を実行するときと前記第２予告演出を実行するときとがあることを特徴とする遊技機。
【手続補正２】
【補正対象書類名】明細書
【補正対象項目名】０００６
【補正方法】変更
【補正の内容】
【０００６】
本発明の遊技機は、
当否判定を行う判定手段と、
前記当否判定の結果によって、遊技者に有利な特別遊技を実行する特別遊技実行手段と、
所定の演出を実行可能な演出実行手段と、を備え、
前記所定の演出には、第１の演出と第２の演出とがあり、
前記第１の演出には、前記特別遊技が実行される可能性が相対的に高いことを示唆する第１の演出内容を含む第１予告演出と、前記特別遊技が実行される可能性が相対的に低いことを示唆する第２の演出内容を含む第２予告演出と、があり、
前記第２の演出には、前記第１の演出内容を示唆する第１示唆演出と、前記第１の演出内容を示唆しない第２示唆演出と、があり、
前記演出実行手段は、
前記第１示唆演出を継続して実行する場合には前記第１予告演出を実行可能であることを特徴とする。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段を備え、
前記所定の演出には、第１の演出と、前記第１の演出が行われることを示唆する第２の演出と、があり、
前記演出実行手段は、
前記第２の演出を継続して実行可能があり、
前記第２の演出を継続して実行する場合には、当該第２の演出の実行に関連づけて前記第１の演出の実行を開始させることを特徴とする遊技機。
【請求項２】
請求項１に記載の遊技機であって、
当否判定を行う判定手段と、
前記当否判定の結果によって、遊技者に有利な特別遊技を実行する特別遊技実行手段と、を備え、
前記第１の演出は、
前記特別遊技が実行される可能性があることを示唆可能な演出であることを特徴とする遊技機。
【請求項３】
請求項２に記載の遊技機であって、
所定の表示手段を備え、
前記第１の演出には、前記所定の表示手段を用いて、前記特別遊技が実行される可能性が相対的に高いことを示唆する第１の色で表示される第１予告表示演出と、前記特別遊技が実行される可能性が相対的に低いことを示唆する第２の色で表示される第２予告表示演出と、があり、
前記第２の演出には、前記所定の表示手段を用いて、前記第１の色を示唆する第１示唆表示演出と、前記第１の色を示唆しない第２示唆表示演出と、があり、
前記演出実行手段は、
前記第２の演出として前記第１示唆表示演出を継続して実行する場合には、前記第１の演出として前記第１予告表示演出を実行可能であることを特徴とする遊技機。
【請求項４】
請求項３に記載の遊技機であって、
前記演出実行手段は、
前記第２の演出として前記第２示唆表示演出を継続して実行する場合には、前記第１の演出として、前記第１予告表示演出を実行するときと前記第２予告表示演出を実行するときとがあることを特徴とする遊技機。
【手続補正２】
【補正対象書類名】明細書
【補正対象項目名】０００６
【補正方法】変更
【補正の内容】
【０００６】
本発明の遊技機は、
所定の演出を実行可能な演出実行手段を備え、
前記所定の演出には、第１の演出と、前記第１の演出が行われることを示唆する第２の演出と、があり、
前記演出実行手段は、
前記第２の演出を継続して実行可能があり、
前記第２の演出を継続して実行する場合には、当該第２の演出の実行に関連づけて前記第１の演出の実行を開始させることを特徴とする。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
通常遊技状態にするときと、前記通常遊技状態よりも遊技者に有利な有利遊技状態にするときと、がある遊技状態制御手段と、
所定の演出を実行するための演出モードを設定可能な演出実行手段と、を備え、
前記遊技状態制御手段は、前記有利遊技状態において所定の終了条件が成立した場合、前記有利遊技状態から前記通常遊技状態に変更することがあり、
前記演出実行手段が前記有利遊技状態において設定可能な演出モードとして、所定演出モードがあり、
前記演出実行手段が前記通常遊技状態において設定可能な演出モードとして、通常演出モードと、前記通常演出モードとは異なる特定演出モードと、があり、
前記通常演出モードにはさらに、第１通常演出モードと、第２通常演出モードとがあり、
前記演出実行手段は、
前記有利遊技状態において前記所定演出モードを設定しているときに前記終了条件が成立して前記有利遊技状態から前記通常遊技状態に変更された場合、前記所定演出モードから前記特定演出モードに変更することがあり、
前記通常遊技状態において前記第１通常演出モードを設定しているときに、所定の開始条件が成立した場合、当該第１通常演出モードから前記特定演出モードに変更することがあり、
前記通常遊技状態において前記第２通常演出モードを設定しているときに前記開始条件が成立した場合、当該第２通常演出モードから前記特定演出モードに変更することがあり、
前記所定演出モードから変更された前記特定演出モードが終了する条件と、前記第１通常演出モードおよび前記第２通常演出モードから変更された前記特定演出モードが終了する条件とは異なることを特徴とする遊技機。
【手続補正２】
【補正対象書類名】明細書
【補正対象項目名】０００６
【補正方法】変更
【補正の内容】
【０００６】
本発明に係る遊技機は、
通常遊技状態にするときと、前記通常遊技状態よりも遊技者に有利な有利遊技状態にするときと、がある遊技状態制御手段と、
所定の演出を実行するための演出モードを設定可能な演出実行手段と、を備え、
前記遊技状態制御手段は、前記有利遊技状態において所定の終了条件が成立した場合、前記有利遊技状態から前記通常遊技状態に変更することがあり、
前記演出実行手段が前記有利遊技状態において設定可能な演出モードとして、所定演出モードがあり、
前記演出実行手段が前記通常遊技状態において設定可能な演出モードとして、通常演出モードと、前記通常演出モードとは異なる特定演出モードと、があり、
前記通常演出モードにはさらに、第１通常演出モードと、第２通常演出モードとがあり、
前記演出実行手段は、
前記有利遊技状態において前記所定演出モードを設定しているときに前記終了条件が成立して前記有利遊技状態から前記通常遊技状態に変更された場合、前記所定演出モードから前記特定演出モードに変更することがあり、
前記通常遊技状態において前記第１通常演出モードを設定しているときに、所定の開始条件が成立した場合、当該第１通常演出モードから前記特定演出モードに変更することがあり、
前記通常遊技状態において前記第２通常演出モードを設定しているときに前記開始条件が成立した場合、当該第２通常演出モードから前記特定演出モードに変更することがあり、
前記所定演出モードから変更された前記特定演出モードが終了する条件と、前記第１通常演出モードおよび前記第２通常演出モードから変更された前記特定演出モードが終了する条件とは異なることを特徴とする。